(57)【要約】【課題】物品が直接接触するコンベヤユニットを、コンベヤフレームを分解したり物品ガイドを取外すことなく外部に移動して、清掃等のメンテナンスを簡単に行なう。【解決手段】物品の左右両側方を案内する一対の物品ガイド１７,１７の下方に、奥側に配置された供給フレーム１６に対して物品搬送方向と交差する方向にスライド自在に移動台３７が配設される。移動台３７には、第１ベルトコンベヤ１２のコンベヤユニット４６が着脱自在に載置される。移動台３７を物品搬送位置から退避位置に移動することで、移動台３７に載置されているコンベヤユニット４６は、手前側の物品ガイド１７の下方をくぐって該物品ガイド１７を越えた側方位置まで至るように引出される。【選択図】図６
2006335466.tif 000002
【特許請求の範囲】
【請求項１】
一対の物品ガイド(17,17)で側方が案内される物品(W)をベルトコンベヤ(12,13)に載置して筒状フィルムに向けて供給する横型製袋充填機の供給コンベヤであって、
前記ベルトコンベヤ(12,13)のコンベヤユニット(46)が着脱可能に載置されると共に、供給フレーム(16)に片持支持されて、物品搬送位置および該物品搬送位置から物品搬送方向と交差するコンベヤの一側方に離間した退避位置の間を移動可能な移動台(37)と、
前記移動台(37)が前記物品搬送位置に移動した際に、前記供給フレーム(16)に対して前記コンベヤユニット(46)が位置固定されるように移動台(37)を係止し得る固定手段(38a,40,41)とを備え、
前記移動台(37)に載置されたコンベヤユニット(46)は、移動台(37)を退避位置に移動することで、一側方の物品ガイド(17)の下方をくぐって該物品ガイド(17)を越えた側方位置まで至るように引出されるよう構成した
ことを特徴とする横型製袋充填機の供給コンベヤ。
【請求項２】
前記ベルトコンベヤ(12,13)は、無端ベルト(51)を上流端で転向案内する転向部材(48)と、該転向部材(48)を物品搬送方向に進退移動し、無端ベルト(51)を張り位置と弛み位置とに切換え作動する進退機構(52)と、該進退機構(52)を作動させる操作ハンドル(64)とを備える請求項１記載の横型製袋充填機の供給コンベヤ。
【請求項３】
前記コンベヤユニット(46)の側方を覆う閉成位置および該コンベヤユニット(46)の引出しを許容する下方の開放位置との間を開閉動し得るよう前記供給フレーム(16)に対して支持アーム(27)を介して揺動可能に配設されたサイドカバー(26)と、該サイドカバー(26)の開放時に作用するダンパー(29)と、サイドカバー(26)を閉成位置に解除自在にロックするロック手段(31)とを備える請求項１または２記載の横型製袋充填機の供給コンベヤ。
【請求項４】
前記移動台(37)にコンベヤユニット(46)を載置する際に位置決めを行なう複数の係合部(42,43,53,53a)を有する係合手段が設けられている請求項１〜３の何れかに記載の横型製袋充填機の供給コンベヤ。
【請求項５】
前記コンベヤユニット(46)を物品搬送位置に位置決めした際に、前記供給フレーム(16)の駆動系(56)と係合して前記無端ベルト(51)への動力伝達を可能とする駆動伝達手段(55)を備える請求項１〜４の何れかに記載の横型製袋充填機の供給コンベヤ。
【請求項６】
前記移動台(37)に載置されたコンベヤユニット(46)を固定する締着ノブ(45)を有し、前記固定手段(38a,40)は、固定用ハンドル(41)を備える請求項１〜５の何れかに記載の横型製袋充填機の供給コンベヤ。
【発明の詳細な説明】
【技術分野】
【０００１】
本発明は、筒状成形されたフィルムに向けて物品を供給する横型製袋充填機の供給コンベヤに関するものである。
【背景技術】
【０００２】
横型製袋充填機の製袋手段で筒状成形されたフィルムに向けて物品を供給する供給コンベヤとして、複数のベルトコンベヤを直列に設け、前工程からランダムな間隔で移送されてきた物品を、一包装長のフィルムに対する所定位置に位置合わせされた状態で１個ずつ筒状フィルムに向けて送り込むようにしたものが知られている。
【０００３】
横型製袋充填機においては、前記供給コンベヤが物品と直接接触する箇所であるため、殊に食品等の包装に関しては、衛生維持の観点から供給コンベヤを常に清潔に保つことが不可欠であり、従来より蒸気洗浄やアルコール洗浄あるいは水洗いその他各種洗浄や清掃が行なわれている。この場合において、包装機本体に取着された供給コンベヤを洗浄する際に飛散する蒸気や水に起因するトラブル発生を未然に防止するものとして、例えば特許文献１に開示の装置が提案されている。この装置は、包装機本体に対して物品供給コンベヤを、物品搬送方向の前後に移動することで着脱し得るよう構成されており、物品供給コンベヤの洗浄等に際しては、包装機本体から物品供給コンベヤを上流側に移動することで取外して行なうことができる。
【０００４】
なお、筒状フィルムに物品を供給するコンベヤではないが、筒状フィルムに供給された物品を下方から支持して搬送するコンベヤを、フレームに配設された棚桟に着脱自在に載置し、洗浄時にはコンベヤを棚桟から持上げて装置外に取出すよう構成されたものもある(例えば、特許文献２参照)。
【特許文献１】実公平７−５１４５２号公報
【特許文献２】特開平１１−９１７０７号公報
【発明の開示】
【発明が解決しようとする課題】
【０００５】
特許文献１に開示の装置では、包装機本体に対して物品供給コンベヤの全体を着脱する構成のため、取外しおよび取付け作業が大掛かりとなる。また物品供給コンベヤの上流側には、該コンベヤに物品を供給する別のコンベヤ等の物品供給装置が接続されて包装ラインが構成されるため、物品供給コンベヤの着脱の際には、物品供給装置を分離する必要があり、物品供給コンベヤの取外しおよび取付け作業が煩雑となる難点も指摘される。更には、洗浄後の物品供給コンベヤを包装機本体に取付けた際には、物品供給装置との相対的な位置関係を適正に戻すための調節作業も必要となる。なお、物品供給コンベヤに配設されて物品を搬送するためのアタッチメントや無端チェンは、コンベヤフレームの内部に位置しているため、これらの部材のメンテナンスを行なう場合には、コンベヤフレームを分解する手間が必要であった。
【０００６】
特許文献２に開示の装置では、他の機器を移動することなくコンベヤのみ脱着することができる。しかるに、特許文献２に開示の技術を供給コンベヤに採用する場合は、以下の問題点を招く。
【０００７】
すなわち、供給コンベヤにおいては、その無端ベルトにより搬送される物品の幅方向の位置規制を行なって、筒状フィルムに向けて物品を正しく案内するための一対の物品ガイドが、物品搬送面の上方に配置されている。この物品ガイドは、コンベヤフレームに配設されているため、コンベヤフレームにおける物品搬送面の下方に配設した棚桟からコンベヤを持上げて取外すためには、先に物品ガイドを取外す作業が必要となる。また洗浄後のコンベヤを棚桟に載置して取付けた後に、物品ガイドを付け直す必要があり、コンベヤの取付けおよび取外し作業が煩雑となる。
【０００８】
なお、棚桟上のコンベヤを側方に引摺り出すことも考えられるが、引出し側の物品ガイドをコンベヤフレームに取付けるための取付部材等が邪魔となったり、重量のあるコンベヤを物品ガイドと干渉しない位置まで引出す作業が、作業者の負担となる。
【０００９】
すなわち本発明は、前述した従来の技術に内在している前記課題に鑑み、これを好適に解決するべく提案されたものであって、物品が直接接触するコンベヤユニットを、コンベヤフレームを分解したり物品ガイドを取外すことなく外部に移動して、清掃や部品交換等のメンテナンスを容易に行なうことができる横型製袋充填機の供給コンベヤを提供することを目的とする。
【課題を解決するための手段】
【００１０】
前述した課題を解決し、所期の目的を達成するため、請求項１の発明に係る横型製袋充填機の供給コンベヤは、
一対の物品ガイドで側方が案内される物品をベルトコンベヤに載置して筒状フィルムに向けて供給する横型製袋充填機の供給コンベヤであって、
前記ベルトコンベヤのコンベヤユニットが着脱可能に載置されると共に、供給フレームに片持支持されて、物品搬送位置および該物品搬送位置から物品搬送方向と交差するコンベヤの一側方に離間した退避位置の間を移動可能な移動台と、
前記移動台が前記物品搬送位置に移動した際に、前記供給フレームに対して前記コンベヤユニットが位置固定されるように移動台を係止し得る固定手段とを備え、
前記移動台に載置されたコンベヤユニットは、移動台を退避位置に移動することで、一側方の物品ガイドの下方をくぐって該物品ガイドを越えた側方位置まで至るように引出されるよう構成したことを特徴とする。
請求項１の発明によれば、コンベヤユニットを物品ガイドの下方をくぐらせて供給コンベヤの外側部に引出すよう構成したから、供給フレームを分解したり物品ガイドを取外すことなく、コンベヤユニットの清掃や部品交換等のメンテナンスを外部で簡単に行なうことができる。またコンベヤユニットは、搬送方向と交差する方向に引出すものであるから、供給コンベヤの上流側に接続された物品供給装置を分離したり移動することなく引出し作業を行なうことができる。すなわち、コンベヤユニットを退避位置に引出したり物品搬送位置に位置決めする際の作業が極めて簡単となり、また物品供給装置との位置関係の調節等を行なう必要もない。
【００１１】
請求項２に係る発明は、前記ベルトコンベヤは、無端ベルトを上流端で転向案内する転向部材と、該転向部材を物品搬送方向に進退移動し、無端ベルトを張り位置と弛み位置とに切換え作動する進退機構と、該進退機構を作動させる操作ハンドルとを備えるようにした。
請求項２の発明によれば、操作ハンドルによって進退機構を作動して無端ベルトを張った状態と取外し可能な弛んだ状態にし得る夫々の位置に切換作動することで、該無端ベルトをコンベヤユニットから取外すことができる。従って、無端ベルトのみの清掃や交換を短時間で簡単に行ない得る。また、無端ベルトを弛める際に転向部材は物品搬送方向の前方に移動し、その上流端位置が後退するから、例えば物品ガイドを支持する部材が上流端側方に位置している場合に、該部材と干渉することなくコンベヤユニットを側方に引出すことが可能となる。
【００１２】
請求項３に係る発明は、前記コンベヤユニットの側方を覆う閉成位置および該コンベヤユニットの引出しを許容する下方の開放位置との間を開閉動し得るよう前記供給フレームに対して支持アームを介して揺動可能に配設されたサイドカバーと、該サイドカバーの開放時に作用するダンパーと、サイドカバーを閉成位置に解除自在にロックするロック手段とを備えるようにした。
請求項３の発明によれば、コンベヤユニットの引出し時に、供給コンベヤのサイドカバーを、極めて簡単に引出しに支障のない位置に移動できる。
【００１３】
請求項４に係る発明は、前記移動台にコンベヤユニットを載置する際に位置決めを行なう複数の係合部を有する係合手段を設けるようにした。
請求項４の発明によれば、係合手段により移動台に対してコンベヤユニットを正確に位置決めし得るから、該ユニットを物品を搬送するための物品搬送位置に正確に位置決めすることができる。
【００１４】
請求項５に係る発明は、前記コンベヤユニットを物品搬送位置に位置決めした際に、前記供給フレームの駆動系と係合して前記無端ベルトへの動力伝達を可能とする駆動伝達手段を備えるようにした。
請求項５の発明によれば、コンベヤユニットには駆動系が配設されていないから、該ユニットの洗浄・清掃作業時の取扱いが容易となる。
【００１５】
請求項６に係る発明は、前記移動台に載置されたコンベヤユニットを固定する締着ノブを有し、前記固定手段は、固定用ハンドルを備えるようにした。
請求項６の発明によれば、移動台に対するコンベヤユニットの着脱作業および供給フレームに対する移動台の着脱作業を、何れも工具を用いることなく短時間で簡単に行ない得る。
【発明の効果】
【００１６】
本発明に係る横型製袋充填機の供給コンベヤによれば、コンベヤユニットの清掃やベルト交換等のメンテナンスを外部で簡単に行なうことができ、メンテナンス性の向上を図ることができる。
【発明を実施するための最良の形態】
【００１７】
次に、本発明に係る横型製袋充填機の供給コンベヤにつき、好適な実施例を挙げて、添付図面を参照しながら以下説明する。
【実施例】
【００１８】
図１および図２は、実施例に係る横型製袋充填機の供給コンベヤ１０の全体構成を示すものであって、供給源から繰出された帯状フィルムが製袋手段１１により成形された筒状フィルムに、供給コンベヤ１０から所定間隔毎に物品Ｗが供給されると共に連続的にセンターシールが施される。そして、所定間隔で物品Ｗが充填された筒状フィルムが下流側に移送され、筒状フィルムにおける物品Ｗを挟む前後でエンドシールが施されるよう構成される。なお、横型製袋充填機に対して作業者は、供給コンベヤ１０で搬送される物品Ｗの物品搬送方向と交差する方向の一側方から運転操作を行なうようになっており、この操作する側を手前側、これと反対側を奥側と指称するものとする。
【００１９】
前記供給コンベヤ１０は、物品Ｗを載置して搬送可能な第１ベルトコンベヤ１２と、この第１ベルトコンベヤ１２の下流側に接続され、前記製袋手段１１により成形された筒状フィルムに向けて物品Ｗを供給する第２ベルトコンベヤ１３とを基本的に備えている。なお、第２ベルトコンベヤ１３の下流側には、製袋手段１１の下方の隙間に位置して、第２ベルトコンベヤ１３から物品Ｗが受渡される補助コンベヤ１４が配置される。
【００２０】
前記供給コンベヤ１０では、物品搬送ラインから離間する奥側の位置で搬送方向に沿って所定長さで延在する供給フレーム１６に、第１ベルトコンベヤ１２と第２ベルトコンベヤ１３とが直列に配設されている。また、両ベルトコンベヤ１２,１３の上方には、図３に示す如く、物品搬送ラインを挟んで幅方向に対向する一対の物品ガイド１７,１７が配設され、両ベルトコンベヤ１２,１３で搬送される物品Ｗの左右両側方を、間隔調節された一対の物品ガイド１７,１７で案内するよう構成される。
【００２１】
各物品ガイド１７は、物品搬送ラインに臨む側の側壁部に、物品Ｗの側面を案内するガイド面が形成された長尺の部材であって、物品ガイド１７の下面には、物品搬送方向に離間して２つの支持部材１８,１８が垂設され、各支持部材１８が供給フレーム１６に配設された調節機構１９に連繋してある。各調節機構１９は、図３に示す如く、前記供給フレーム１６から手前側に水平に延出する上下に離間した一対のスライドシャフト２０,２０と、両スライドシャフト２０,２０の手前側端部に配設された保持部材２１および供給フレーム１６の間に回動自在に架設されて両スライドシャフト２０,２０の間に臨み、その軸方向の中間部を境にして左右のネジ部が螺刻されたネジ軸２２とを備える。そして、物品ガイド１７の支持部材１８がスライドシャフト２０,２０にスライド自在に支持されると共に、ネジ軸２２における左右のネジ部が対応する物品ガイド１７の支持部材１８に配設した雌ネジ部材１８ａに螺合されている。
【００２２】
両ネジ軸２２,２２における供給フレーム１６から奥側に延出する端部は、チェン−スプロケット等の伝達手段２３により連繋されると共に、一方のネジ軸２２の手前側端部に調節用ハンドル２４が固定されており、該調節用ハンドル２４の回転操作に基づき、両ネジ軸２２,２２を回転させることで、一対の物品ガイド１７,１７が相互に近接・離間移動して間隔調節されるよう構成される。
【００２３】
前記供給コンベヤ１０では、手前側の物品ガイド１７の下側に、第１ベルトコンベヤ１２および第２ベルトコンベヤ１３の後述する各コンベヤユニット４６を手前側に引出し可能な開口部２５が形成され、該開口部２５は、供給フレーム１６に揺動自在に配設されたサイドカバー２６によって開閉されるよう構成してある。
【００２４】
前記供給フレーム１６の内面(物品搬送ライン側の面)には、物品搬送方向に離間して、複数の支持アーム２７の一端が夫々枢支されている。各支持アーム２７の手前側に延出する他端は、サイドカバー２６の内面に配設されており、サイドカバー２６は各支持アーム２７の一端を支点として上下に揺動自在に構成されて、図４に示す如く、前記開口部２５を閉成する上方の閉成位置と開口部２５を開放する下方の開放位置との間を開閉動するようになっている。また、供給フレーム１６における各支持アーム２７の枢支部位に対応してブラケット２８が夫々手前側に向けて延出するよう配設され、各ブラケット２８に空気圧式あるいは油圧式等のダンパー２９のボトム側が枢支されると共に、そのロッド２９ａが支持アーム２７の適宜位置に枢支されており、該ダンパー２９は、サイドカバー２６が閉成位置から開放位置に向けて下方に移動する際に、緩衝作用によって該サイドカバー２６をゆっくり移動するよう構成されている。なお、閉成位置に臨むサイドカバー２６は、後述する物品搬送位置に位置決めされたコンベヤユニット４６および前記調節機構１９の側部を覆い、またサイドカバー２６が開放位置に移動することで、コンベヤユニット４６の開口部２５から手前側外部への引出しを許容するよう設定される。
【００２５】
また供給フレーム１６には、物品搬送方向に離間して、複数の支持ステー３０が手前側に向けて所定長さで延出するよう配設され、各支持ステー３０の手前側端部に、ロック手段としてのロック部材３１が夫々回動自在に配設されている。各ロック部材３１には手前側に向けて開放する溝部３１ａが形成されており、該溝部３１ａに、サイドカバー２６の内面の対応箇所に配設した被係合部材３２が係脱自在に係合するよう構成されている。ロック部材３１は、溝部３１ａが斜め下向きとなる解除位置において被係合部材３２が溝部３１ａに係合した状態で、サイドカバー２６を引上げることで、ロック部材３１が回転して溝部３１ａが略水平に向くロック位置に保持され、これによりサイドカバー２６が開口部２５の閉成位置に位置決め保持されるようになっている。なお、ロック部材３１は、解除位置からロック位置に向けて所定角度位置まで回転したときに、圧縮バネ等の弾性部材３３によりロック位置に向けて回転するよう付勢される。
【００２６】
前記サイドカバー２６の外面に把手３４が配設されており、作業者は、把手３４を持ってサイドカバー２６を押下げることで、前記ロック部材３１が弾性部材３３の付勢力に抗してロック位置から解除位置に移動し、溝部３１ａから被係合部材３２が離脱することでサイドカバー２６が開放位置に向けて移動するようになっている。またサイドカバー２６における前記下流側の調節機構１９に対応する位置に、図１に示すように上側に開放する切欠部２６ａが形成されており、サイドカバー２６を閉成位置に位置決めする際には、前記ネジ軸２２が接触することなく、これに固定した調節用ハンドル２４のみがサイドカバー２６の手前側に臨むよう構成されている。
【００２７】
次に、前記第１ベルトコンベヤ１２および第２ベルトコンベヤ１３の構成を説明するが、両ベルトコンベヤ１２,１３の基本構成は同一であるので、上流側の第１ベルトコンベヤ１２の構成についてのみ説明し、下流側の第２ベルトコンベヤ１３については、同一部材に同じ符号を付して説明を省略する。
【００２８】
前記供給フレーム１６には、図５および図６に示す如く、物品搬送方向に離間して一対の固定ガイドレール３５,３５が、手前側に向けて閉成位置のサイドカバー２６と干渉しない長さで延出するよう片持状態で配設されている。両固定ガイドレール３５,３５に、可動ガイドレール３６,３６を介して移動台３７が物品搬送方向と交差する方向にスライド自在に支持され、該移動台３７は、前記物品ガイド１７,１７の下方に位置する物品搬送位置と、物品ガイド１７,１７から手前側の供給コンベヤ外側方に離間した退避位置との間をスライドし得るよう構成される。移動台３７における奥側の側板部３８には、下側に開放する逆Ｕ字状の係合溝３８ａが、物品搬送方向に離間して複数箇所に形成されている。また、両固定ガイドレール３５,３５の間に臨む供給フレーム１６の内面には、物品搬送方向に沿って水平に臨む作動軸４０が回動自在に架設されている。この作動軸４０には、前記側板部３８の各係合溝３８ａと対応する位置に、該係合溝３８ａに下側から係脱可能な係合軸４１ａを備えた固定用ハンドル４１のネジ部が螺挿されており、該固定用ハンドル４１は、作動軸４０を回転することによって、移動台３７の幅方向の移動を許容する下方の解除位置と、係合軸４１ａが物品搬送位置の側板部３８における係合溝３８ａ内に臨む上方の固定位置との間を移動するよう構成される。そして、係合溝３８ａ内に係合軸４１ａを臨ませた固定用ハンドル４１を作動軸４０にネジ込むことにより、移動台３７を物品搬送位置に位置決め固定するよう構成されている。すなわち、実施例では側板部３８の係合溝３８ａ、作動軸４０、固定用ハンドル４１から、移動台３７を供給フレーム１６に位置固定するために係止する固定手段が構成される。
【００２９】
前記移動台３７には、物品Ｗを搬送するコンベヤユニット４６が着脱自在に載置され、前記移動台３７の上面には、後述するコンベヤユニット４６における係合溝５３ａ,５３ａとによって該ユニット４６を位置決めするための係合手段を構成する係合部としての突条部４２が、幅方向に延在するよう突設されている。また移動台３７における奥側上面には、同じく係合手段を構成する係合部としての規制部材４３が所定高さで立設されており、この規制部材４３にコンベヤユニット４６における奥側の側面を当接することで、後述する突部と係合穴と共に移動台上でのコンベヤユニット４６の幅方向の位置決めを行なうよう構成される。更に、移動台３７における手前側には、コンベヤユニット４６が載置される上板４４に貫通した通孔を介して、締着ノブとしてのクランプレバー４５のネジ部が下方から挿通されるようになっている。すなわち、移動台３７に載置したコンベヤユニット４６の対応する位置に設けたネジ孔にクランプレバー４５のネジ部を下側からネジ込むことにより、移動台３７にコンベヤユニット４６を位置決め固定するよう構成される。なお、移動台３７およびコンベヤユニット４６には、その他の図示しない係合手段を構成する係合部として、移動台３７の上面の物品搬送方向および幅方向に離間する複数箇所に突設された突部と、各突部に対応するようコンベヤユニット４６に設けられた係合穴とを有し、各突部に係合穴が係合されるよう移動台３７にコンベヤユニット４６を載置することでも位置決めがなされるようになっている。
【００３０】
前記コンベヤユニット４６は、移動台３７を物品搬送位置に位置決めすることで、前記両物品ガイド１７,１７の下方に臨んで両物品ガイド１７,１７で幅方向両側が案内される物品Ｗを搬送可能な物品搬送位置に臨み、また移動台３７を退避位置に移動することで、コンベヤユニット４６は両物品ガイド１７,１７の下方から前記開口部２５を介して手前側外部に引出されてコンベヤ側方に離間した退避位置に臨み、この退避位置において移動台３７に対する着脱を行ない得るよう構成される。
【００３１】
前記コンベヤユニット４６は、図６および図７に示す如く、ユニット本体４７と、ユニット本体４７に回動自在に配設された複数のプーリ(回転体)４８,４９,５０と、そのプーリ群に巻掛けられた無端ベルト５１と、最上流側に位置して無端ベルト５１を転向案内する可動プーリ(転向部材)４８を物品搬送方向に進退移動させ、無端ベルト５１が張った状態となる張り位置と無端ベルト５１が取外し可能な弛んだ状態となる弛み位置とに切換え作動する進退機構５２とから基本的に構成される。ユニット本体４７は、下方に開口した長尺の逆樋状をなす箱状成形体であって、その上面がベルト案内面とされている。ユニット本体４７における幅方向に対向する両側板５３,５３の下端部には、前記移動台３７の突条部４２と対応する位置に、下側に開放する係合溝５３ａが夫々形成されており、両係合溝５３ａ,５３ａを突条部４２に係合することで、移動台３７に対するコンベヤユニット４６の物品搬送方向の位置決めがなされるようにしてある。また、ユニット本体４７における手前側の側板５３の内側(他方の側板５３を向く側)には、前記移動台３７の上板４４に載置されるフランジ５４が奥側に向けて水平に延出しており、該フランジ５４に、前記クランプレバー４５のネジ部がネジ込まれるネジ孔が形成されている。
【００３２】
前記コンベヤユニット４６の下流側に配設されている大径の駆動プーリ５０における奥側の側板５３から突出する軸端に、駆動伝達手段としての従動側カップリング５５が固定されている。また供給フレーム１６には、図示しない駆動モータにより回転駆動される駆動系を構成する駆動側カップリング５６が回動自在に配設されて手前側に向けて突出しており、コンベヤユニット４６が位置決め載置された移動台３７を稼動位置に位置決めしたときに、従動側カップリング５５が駆動側カップリング５６に対して軸方向から係合し、駆動モータによる駆動力が駆動プーリ５０に伝達されるよう構成される(図７参照)。なお、従動側カップリング５５は、移動台３７を退避位置に向けて移動することで、駆動側カップリング５６から離脱するようになっている。また、供給フレーム１６における上流側の固定ガイドレール３５の配設位置より上流側に、手前側に向けて所定長さで延出するストッパ５７が突設され、コンベヤユニット４６における移動台３７から上流側に延出する奥側の側板５３がストッパ５７に当接して物品搬送位置に位置決めされるよう構成してある。
【００３３】
前記ユニット本体４７の上流側下面には、図７に示す如く、幅方向に離間して一対のシャフト５８,５８が、物品搬送方向に進退移動自在に配設されている。両シャフト５８,５８におけるユニット本体４７の上流端から延出する端部間に第１ホルダ５９が一体的に移動するよう配設され、該第１ホルダ５９に可動プーリ４８が回動自在に配設されている。また、両シャフト５８,５８の下流端に配設した第２ホルダ６０に、ユニット本体４７に配設した進退機構５２が連繋されている。そして、進退機構５２を作動することで、可動プーリ４８は、物品搬送方向の上流側に移動して巻掛けられている無端ベルト５１が張った状態となる前進位置と、物品搬送方向の下流側に移動して無端ベルト５１が弛んだ状態となる後退位置との間を移動するよう構成される。
【００３４】
なお、可動プーリ４８を後退位置に位置決めしたときには、無端ベルト５１をプーリ群から手前側に取外し得る分だけ無端ベルト５１が弛むと共に、可動プーリ４８が、前記手前側の物品ガイド１７における上流側の支持部材１８と干渉しない下流側位置まで移動するよう設定される。これによりコンベヤユニット４６を、開口部２５を介して手前側外部に引出すことができるようになっている。
【００３５】
実施例の進退機構５２は、所謂トグル機構であって、前記第２ホルダ６０に一端を枢支した第１レバー６１とユニット本体４７の固定部位に一端を枢支した第２レバー６２との他端同士を回動自在に連結して構成したリンク部が、幅方向に離間して一対配設されると共に、両リンク部の連結部が共通的に操作ロッド６３に枢支されて構成される。操作ロッド６３の手前側の端部は、ユニット本体４７における手前側の側板５３に形成した長孔５３ｂから外方に突出して、物品搬送方向の前後移動が許容されると共に、その端部には操作ハンドル６４が固定されている。そして、操作ハンドル６４を把持して操作ロッド６３を手前側に引張ることで、該ロッド６３が下流側に移動しつつ各リンク部の連結部が下流側に移動して、可動プーリ４８は後退位置に向けて移動し、無端ベルト５１は張り位置に切換えられる。また、逆に操作ロッド６３を奥側に押込むことで、操作ロッド６３が上流側に移動しつつ各リンク部の連結部が上流側に移動して、可動プーリ４８は前進位置に向けて移動し、無端ベルト５１は弛み位置に切換えられる。なお、可動プーリ４８が前進位置に至ったときには、各リンク部の両レバー６１,６２が物品搬送方向に沿って略直線状の姿勢となることで、可動プーリ４８を前進位置に位置決め保持することができる。また、前記手前側の側板５３には、可動プーリ４８を前進位置に位置決めした操作ロッド６３に係脱自在な係止部材６５が回動自在に配設されており、該係止部材６５を操作ロッド６３に係合することで、該ロッド６３の下流側への移動を阻止して可動プーリ４８が簡単に後退位置に向けて移動しないようにしてある。なお、前記第２ホルダ６０は、ユニット本体４７の固定部位との間に張架された引張りバネ６６により、常には後退位置に向けて付勢されている。
【００３６】
〔実施例の作用〕
次に、前述した実施例に係る横型製袋充填機の供給コンベヤ１０の作用につき、第１ベルトコンベヤ１２の清掃や部品交換等のメンテナンスを行なう場合で説明する。
【００３７】
先ず、前記把手３４を持ってサイドカバー２６を押下げることで、前記ロック部材３１は弾性部材３３の付勢力に抗してロック位置から解除位置に回転し、斜め下向きとなった溝部３１ａから被係合部材３２が離脱することで、サイドカバー２６は開放位置に向けて移動し、前記開口部２５が開放する(図４参照)。このとき、作業者が把手３４を離しても、サイドカバー２６は前記ダンパー２９の緩衝作用によって開放位置までゆっくり移動し、大きな騒音を発生したり大きな衝撃が加わることはない。
【００３８】
前記係止部材６５を回転して操作ロッド６３の係止を解除したもとで、操作ハンドル６４を把持して操作ロッド６３を手前側に引張ることで、前記可動プーリ４８は進退機構５２の作動により後退位置に向けて移動する。これにより、コンベヤユニット４６のローラ群に巻掛けられている無端ベルト５１は、取外し可能な弛んだ状態となる弛み位置に切換えられると共に、最上流側の可動プーリ４８は、手前側の物品ガイド１７における上流側の支持部材１８と干渉しない下流側の位置に至る。
【００３９】
次に、前記全ての固定用ハンドル４１を所定方向に回転して緩め、固定用ハンドル４１を下側へ回転することで、係合軸４１ａが係合溝３８ａから離脱して、供給フレーム１６に対する移動台３７の固定が解除される。この移動台３７を、コンベヤユニット４６と共に手前側に引くことで、前記固定ガイドレール３５,３５に沿って可動ガイドレール３６,３６がスライドして、コンベヤユニット４６および移動台３７は、図５に示す如く、前記物品ガイド１７,１７の下方の物品搬送位置から手前側の物品ガイド１７の下方をくぐって越えた手前側外部側方に離間した退避位置まで至るように引出される。すなわち、コンベヤユニット４６は、上側に邪魔となる物品ガイド１７,１７が存在しない外部で清掃したりする等のメンテナンスをすることが可能となる。また前記無端ベルト５１は弛んでいるから、該ベルト５１の案内面となるユニット本体４７の上面から無端ベルト５１を浮かせて該上面を簡単に清掃し得る。なお、前記無端ベルト５１はローラ群から簡単に取外すことができるから、該無端ベルト５１を交換したり別の場所で清掃することも容易となる。
【００４０】
また、前記クランプレバー４５による移動台３７とコンベヤユニット４６との固定を解除すれば、移動台３７からコンベヤユニット４６全体を取外して、別の場所で清掃したりする等のメンテナンスを行なうことができる。なお、コンベヤユニット４６の全体を交換することも簡単である。しかも、コンベヤユニット４６は、無端ベルト５１を駆動するための駆動系からは切離されているから、該ユニット４６の取扱いは容易となる。
【００４１】
前記したように移動台３７からコンベヤユニット４６を取外した場合は、清掃等が完了したコンベヤユニット４６を退避位置に位置する移動台３７に載置する。このとき、移動台３７の突条部４２および突部に対し、ユニット本体４７の係合溝５３ａ,５３ａおよび穴を係合すると共に、移動台３７の規制部材４３に対し、ユニット本体４７の奥側の側板５３を当接することで、移動台３７に対してコンベヤユニット４６は物品搬送方向および幅方向の適正な位置に位置決めされる。
【００４２】
前記の状態でコンベヤユニット４６と共に移動台３７を奥側に押込むと、可動ガイドレール３６,３６が固定ガイドレール３５,３５に沿ってスライドし、コンベヤユニット４６の奥側の側面がストッパ５７に当接すると共に、移動台３７の側板部３８が作動軸４０に当接することで、コンベヤユニット４６および移動台３７は物品搬送位置に位置決めされる。また駆動プーリ５０に固定した従動側カップリング５５が、供給フレーム１６に枢支されている駆動側カップリング５６に係合し、駆動モータからの駆動伝達が可能な状態となる。
【００４３】
このように、コンベヤユニット４６および移動台３７を物品搬送位置に位置決めした後、前記固定用ハンドル４１を上側に回転して係合軸４１ａを側板部３８の係合溝３８ａ内に臨ませた状態で、全ての固定用ハンドル４１を回転して作動軸４０にネジ込むことで、供給フレーム１６に対してコンベヤユニット４６が物品搬送位置に位置決め固定される。そして、前記操作ハンドル６４の操作により操作ロッド６３を奥側に押込み、進退機構５２の作動により可動プーリ４８を前進位置に移動して無端ベルト５１が張った状態となる張り位置に切換えた後、前記係止部材６５を回転して操作ロッド６３に係止することで、コンベヤユニット４６での物品搬送が可能となる。
【００４４】
最後に、前記開放位置のサイドカバー２６を把手３４を持って引上げると、前記被係合部材３２が解除位置のロック部材３１の溝部３１ａに係合すると共に、ロック部材３１が回転してロック位置に至る。これにより、供給コンベヤ１０における手前側の開口部２５はサイドカバー２６で閉成され、コンベヤユニット４６の引出し側はサイドカバー２６で覆われることで、稼働部が露出することがない。なお、ロック部材３１は、弾性部材３３によりロック位置に向けて回転するよう付勢されているから、サイドカバー２６が簡単に開放することはない。
【００４５】
このように、供給コンベヤ１０のコンベヤユニット４６を、作業者が横型製袋充填機の運転操作を行なう手前側に引出すよう構成したから、供給コンベヤ１０の上流側に物品供給装置が接続されている状態でも、その物品供給装置を分離することなくコンベヤユニット４６を外部に引出して清掃したりする等のメンテナンスを行なうことができる。従って、コンベヤユニット４６の取外し時や取付け時における作業が極めて簡単となる。また、供給コンベヤ１０の全体を移動するものではないから、コンベヤユニット４６を物品搬送位置に位置決めした後に、物品供給装置との相対的な位置関係を調節する必要もなく、作業を簡略化し得る。更に、コンベヤユニット４６の物品搬送位置からの出し入れ、および移動台３７に対する着脱は、工具を用いることなく全て作業者の手作業で行ない得るから、作業性が向上する。
【００４６】
〔変更例〕
本願は前述した各実施例の構成に限定されるものでなく、その他の構成を適宜に採用することができる。
１．実施例では、物品搬送方向に直列に配置した２基のベルトコンベヤ１２,１３から供給コンベヤ１０を構成した場合で説明したが、１基あるいは３基以上のベルトコンベヤで構成されたものであってもよい。
２．実施例では、供給フレーム１６に対して片持状に配設した固定ガイドレール３５,３５で移動台３７をスライド自在に支持する場合で説明したが、移動台自体が平行リンク機構やパンタグラフ機構等によって供給フレーム１６に対して平行に近接・離間移動可能に構成されるもの等、移動台３７に載置したコンベヤユニット４６を物品搬送位置と退避位置との間を移動させ得るその他の機構を適宜に採用することができる。
３．移動台３７にコンベヤユニット４６を位置決め固定する締着手段は、実施例のクランプレバー４５を用いる構成に限定されるものでなく、例えば移動台３７に突設したネジ軸を、コンベヤユニット４６に穿設した通孔に挿通し、該ネジ軸に蝶ナットを螺着して固定する等、移動台３７にコンベヤユニット４６を位置決め固定し得るものであればその他の構成を適宜に採用し得る。
４．供給フレーム１６に移動台３７を位置決め固定する固定手段は、実施例の構成に限定されるものでなく、実施例に示すクランプレバーを用いる構成等、供給フレーム１６に移動台３７を固定し得るものであればその他の構成を適宜に採用することができる。
５．実施例では、可動プーリ４８を転向部材としたが、転向部材は、回転することなく無端ベルト５１を転向案内するものであってもよい。
６．実施例では、進退機構５２としてトグル機構を採用したが、この構成に限定されるものでなく、例えばシャフト５８,５８にラックを設けると共に、該ラックに噛合するピニオンが固定された調節軸をユニット本体４７に回動自在に配設し、該調節軸を正逆回転することでラック−ピニオンを介して可動プーリ４８を進退移動させる構成や、パンタグラフ機構等、その他の機構を適宜に採用することができる。
７．サイドカバー２６を閉成位置にロックするロック手段は、実施例の構成に限定されるものではなく、コンベヤユニット４６あるいはサイドカバー２６に設けた磁石によってロックする構成等、サイドカバー２６を閉成位置にロックし得るものであればその他の構成を適宜に採用し得る。
８．移動台３７に対してコンベヤユニット４６を位置決めする係合手段は、実施例の構成に限定されるものではなく、移動台３７またはコンベヤユニット４６の一方に、多角形状の突部を設けると共に、他方に各突部が嵌挿される通孔を形成する構成等、移動台３７に対してコンベヤユニット４６を位置決めし得るものであればその他の構成を適宜に採用し得る。
【図面の簡単な説明】
【００４７】
【図１】実施例に係る横型製袋充填機の供給コンベヤの全体構成を示す概略正面図である。
【図２】実施例に係る横型製袋充填機の供給コンベヤの全体構成を示す概略平面図である。
【図３】実施例に係る供給コンベヤにおける物品ガイドの調節機構を示す要部縦断側面図である。
【図４】実施例に係る供給コンベヤにおけるサイドカバーを示す要部縦断側面図である。
【図５】実施例に係る移動台を示す平面図である。
【図６】実施例に係る第１ベルトコンベヤを示す正面図である。
【図７】実施例に係る第１ベルトコンベヤを示す一部切欠き平面図である。
【符号の説明】
【００４８】
１２ 第１ベルトコンベヤ(ベルトコンベヤ)
１３ 第２ベルトコンベヤ(ベルトコンベヤ)，１６ 供給フレーム，１７ 物品ガイド
２６ サイドカバー，２７ 支持アーム，２９ ダンパー
３１ ロック部材(ロック手段)，３７ 移動台，３８ａ 係合溝(固定手段)
４０ 作動軸(固定手段)，４１ 固定用ハンドル(固定手段)
４２ 突条部(係合手段)，４３ 規制部材(係合手段)
４５ クランプレバー(締着ノブ)，４６ コンベヤユニット
４８ 可動プーリ(転向部材)，５１ 無端ベルト，５２ 進退機構
５３ａ 係合溝(係合手段)，５５ 従動側カップリング(駆動伝達手段)
５６ 駆動側カップリング(駆動系)，６４ 操作ハンドル，Ｗ 物品
【図１】
2006335466.tif 000003
【図２】
2006335466.tif 000004
【図３】
2006335466.tif 000005
【図４】
2006335466.tif 000006
【図５】
2006335466.tif 000007
【図６】
2006335466.tif 000008
【図７】
2006335466.tif 000009